(57)【要約】【課題】簡単に製造及び組立・分解をすることができるとともに、性能を低下させることなく、ケーブルとプロペラとの接触による故障、停止や、気流による騒音等の不具合の発生を抑制し、安全に駆動させることができるファンモータを提供する。【解決手段】プロペラ１と、モータ２と、とハウジング３とを有し、スポーク３２２の凹孔３１１側にはスポーク３２２に沿って平行に配置された弾性変形可能な一対の壁部２５１を備えたケーブル保持部２５が形成されており、凹孔３１１の内壁部３１０のケーブル保持部２５と当接する部分には、通風方向に伸びるトンネル部３３１と、トンネル部３３１の凹孔３１１側の一部を形成する一対のリブ３３２とを備えたケーブル収納部３３が形成されているファンモータＡ。【選択図】図１
2008309017.tif 000002
【特許請求の範囲】
【請求項１】
プロペラと、
前記プロペラを回転駆動するモータと、
内部に前記プロペラ及び前記モータを格納するハウジングを備えたファンモータであって、
前記ハウジングは前記プロペラが回転可能に格納された円柱形状の凹孔を備えた本体部と、前記凹孔の一方の端部を覆うように配置され、空気が通過する通気孔を備えたファンプレートとを有しており、
前記本体部には通風方向に伸びるトンネル部と、通風方向に連続して形成され前記トンネル部と前記凹孔の内部とを連結する挿入口とを備え、前記モータに電力を供給する電力ケーブルを収納するケーブル収納部が形成されており、
前記ファンプレートの前記凹孔側の面には中央に前記モータが取り付けられるとともに、前記電力ケーブルが通風方向に並んで挿入保持されたケーブル保持部が形成されており、
前記挿入口の前記凹孔の周方向長さは前記トンネル部に挿入される前記電力ケーブルの外径よりも小さく、前記電力ケーブルを押し込むことができる大きさで形成されていることを特徴とするファンモータ。
【請求項２】
前記ケーブル保持部は前記ファンプレートから遠ざかるにつれ、細くなるように形成されているとともに、互いに接近するように前記ファンプレートから並んで突設された一対の壁部を有しており、
前記ファンプレートよりも最も遠い部分での前記壁部の間隙は前記電力ケーブル又は前記一対の壁部の少なくとも一方を変形させつつ前記電力ケーブルを前記間隙に押し込むことができる幅で形成されているものであることを特徴とする請求項１に記載のファンモータ。
【請求項３】
前記ケーブル収納部は前記トンネル部が前記電力ケーブルを前記凹孔の周方向に並んで収納できる形状を有しており、
前記トンネル部には、互いに対向して配置され、前記凹孔の内周壁部の一部を形成する一対のリブが形成されており、
前記一対のリブの先端同士の間隙が前記挿入口を形成することを特徴とする請求項１又は請求項２に記載のファンモータ。
【請求項４】
前記トンネル部を通風方向と直交する方向で切断した断面は長手方向が前記電力ケーブルの外径の２倍よりも大きく３倍よりも小さい長方形状であり、
前記一対のリブの前記凹孔の周方向長さはいずれも前記電力ケーブルの外径よりも短く形成されていることを特徴とする請求項３に記載のファンモータ。
【請求項５】
前記ケーブル収納部は１本の電力ケーブルが収納され前記一対のリブが形成された円柱状の第１収納室と、前記第１収納室の奥側に隣接して形成され１本の電力ケーブルが収納される円柱状の第２収納室とを有しており、
前記第１収納室と前記第２収納室との間に形成された一対の仕切り部はその先端の間隙が前記電力ケーブルの外径よりも小さく前記ケーブルを押し込むことができる程度の大きさとなるように形成されており、
前記第１収納室及び前記第２収納室に前記電力ケーブルを収納した状態では、前記第１収納室に収納された電力ケーブルと前記一対のリブが密接しているとともに、前記挿入口より一部が前記凹孔の内側に露出していることを特徴とする請求項１又は請求項２に記載のファンモータ。
【請求項６】
前記本体部と前記ファンプレートとが樹脂の一体成型で形成されていることを特徴とする請求項１から請求項５のいずれかに記載のファンモータ。
【請求項７】
前記ケーブル保持部と前記ファンプレートとが樹脂の一体成型で形成されていることを特徴とする請求項１から請求項６のいずれかに記載のファンモータ。
【発明の詳細な説明】
【技術分野】
【０００１】
本発明は、電子機器に取り付けられ内部に低温の空気を導入するとともに内部にたまった高温の空気を排出するためのファンモータに関するものである。
【背景技術】
【０００２】
内部に電子部品を備えた電子機器では、駆動するときに前記電子部品より発熱する。発熱により、前記電子部品が所定の性能を発揮できなかったり、寿命が短くなったりする場合がある。そこで、電子機器の冷却方法として、内部にたまった高温の空気を強制的に排出するとともに外部の低温の空気を内部に流入させるファンモータを備えた、強制空冷方式が多くの電子機器に採用されている。
【０００３】
前記強制冷却用の冷却ファンユニットの一例が、特開２００４−２４１６５５号公報に示されている。この冷却ファンユニットは、冷却用ファンを駆動するモータを支持している内枠部材と、前記モータに電力を供給するコネクタが取り付けられ、前記内枠部材の外周面を覆う外枠部材とが、防振部材を介して前記内枠部材の外周面と、前記外枠部材の内周面とが当接しないように固定するものである。
【０００４】
この構成によると、前記冷却ファンの回転やモータの駆動による振動が内枠部材から外枠部材に伝達されるのを抑制し、これにより、前記冷却ファンユニットの振動が装着されている電子機器の筐体に伝達されるのを抑制することができる。その結果、騒音、電力を供給するためのコネクタのゆがみ、変形等を抑制することができる。
【０００５】
また、特開２００４−１８６６４８号公報に記載の発明は、プロペラを駆動するモータと、前記モータに電力を供給するためのコネクタ部を有しており、前記コネクタ部と前記モータとを接続する電気ケーブルを、コネクタ部のケース及びカバーにて囲まれる空間及び凹形状のケーブル収納部とに収納するものである。
【０００６】
従来のファンモータでは、前記ケースの内部にプロペラ及び前記プロペラを駆動するためのモータが配置されており、前記モータには外部より引き込まれた電力ケーブルを用いることで電力が供給されている。
【特許文献１】特開２００４−２４１６５５号公報
【特許文献２】特開２００４−１８６６４８号公報
【発明の開示】
【発明が解決しようとする課題】
【０００７】
しかしながら、特開２００４−１８６６４８号公報に記載の発明では、前記モータに電力を供給する電気ケーブルが凹形状のケーブル収納部に収納されているが、外部に露出しているものであり、ファンが筐体の外部に取り付けられた場合、前記電気ケーブルが外部に露出する。前記電気ケーブルが外部に露出することで、前記電気ケーブルに物品が接触して、前記電気ケーブルの被覆を損傷してしまったり、断線させてしまったりする。これより、前記モータの駆動が不安定になってしまう。また、前記ケーブルに不具合が発生すると、電気が放電したり、その電気によって電子機器が誤作動してしまったりする。
【０００８】
また、前記ケーブル収納部の凹形状が内部に向かって開くように形成することも可能であるが、前記ケーブル収納部の凹形状より前記電気ケーブルが飛び出すと、、前記ファンによって送られる空気が前記電気ケーブルにて、せん断されて騒音の原因になることもある。
【０００９】
また、前記電気ケーブルが前記ファンと接触してしまうこともあり、このことで、前記電力ケーブルの被覆が剥がれたり、前記電力ケーブルが切断されたりして、モータの駆動不良による風量不足の原因や、電子機器の動作不良が発生してしまうことがある。
【００１０】
凹形状部を覆うカバー部材を取り付けて、ケーブルの浮き上がりを抑制するようにすることも可能であるが、カバー部材が別途必要であり、組立に手間がかかるとともに、コストが高くなる。
【００１１】
そこで本発明は、簡単に製造することができるとともに、性能を低下させることなく、安全に駆動させることができるファンモータを提供することを目的とする。
【００１２】
また本発明は、ケーブルとプロペラとの接触による故障、停止や、気流による騒音等の不具合の発生を抑制するとともに、組立・分解を容易に行うことができるファンモータを提供することを目的とする。
【課題を解決するための手段】
【００１３】
上記目的を達成するために本発明は、プロペラと、前記プロペラを回転駆動するモータと、内部に前記プロペラ及び前記モータを格納するハウジングを備えたファンモータであって、前記ハウジングは前記プロペラが回転可能に格納された円柱形状の凹孔を備えた本体部と、前記凹孔の一方の端部を覆うように配置され、空気が通過する通気孔を備えたファンプレートとを有しており、前記本体部には通風方向に伸びるトンネル部と、通風方向に連続して形成され前記トンネル部と前記凹孔の内部とを連結する挿入口とを備え、前記モータに電力を供給する電力ケーブルを収納するケーブル収納部が形成されており、前記ファンプレートの前記凹孔側の面には中央に前記モータが取り付けられるとともに、前記電力ケーブルが通風方向に並んで挿入保持されたケーブル保持部が形成されており、前記挿入口の前記凹孔の周方向長さは前記トンネル部に挿入される電力ケーブルの外径よりも小さく、前記電力ケーブルを押し込むことができる大きさとなるように形成されていることを特徴とする。
【００１４】
この構成によると、前記電力ケーブルが前記ファンモータの外部に露出しないように配置することができる。このことは、前記ファンモータが電気機器の外部に露出した状態で取り付けられた場合であっても、前記電力ケーブルに外部からアクセスするのが容易ではなく、それだけ、前記電力ケーブルに物品が接触して断線するのを抑制することができる。
【００１５】
これにより、前記電力ケーブルの断線部からの放電により、発熱したり、発火したりする不具合が発生するのを抑制することができ、前記ファンモータを安全に駆動することが可能である。
【００１６】
また、前記ケーブル収納部或いは前記ケーブル保持部より露出して、プロペラと接触してしまうのを抑制することができる。これにより、前記電力ケーブルの一部が損傷してしまい、前記モータに定格の電力が供給されず、前記ファンモータの送風能力が低下する不具合が発生するのを抑制することができる。これにより、前記ファンモータの駆動の信頼性を高めることが可能である。
【００１７】
上記構成において、前記ケーブル保持部は前記ファンプレートから遠ざかるにつれ、細くなるように形成されているとともに、互いに接近するように前記ファンプレートから並んで突設された一対の壁部を有しており、前記ファンプレートよりも最も遠い部分での前記壁部の間隙は前記電力ケーブル又は前記一対の壁部の少なくとも一方を変形させつつ前記電力ケーブルを前記間隙に押し込むことができる幅で形成されているものであってもよい。
【００１８】
この構成によると、前記電力ケーブルを前記ケーブル保持部に押し込むことで、前記ケーブル保持部で前記電力ケーブルを保持することが可能であるので、不具合が発生したときやメンテナンス時の分解が容易である。また、通常駆動時は前記壁部の間隙によって抑えられるので、前記電力ケーブルが抜けるのを抑制することができ、それだけ、前記電力ケーブルの破損による不具合が発生するのを抑制することが可能である。
【００１９】
上記構成において、前記ケーブル収納部は前記トンネル部が前記電力ケーブルを前記凹孔の周方向に並んで収納できる形状を有しており、前記トンネル部には、互いに対向して配置され、前記凹孔の内周壁部の一部を形成する一対のリブが形成されており、前記一対のリブの先端同士の間隙が前記挿入口を形成することを特徴とする。前記トンネル部の断面形状として長方形状のもの、台形状のもの、扇形状のもの等、ケーブルを収納することができる形状を広く採用することができる。
【００２０】
この構成によると、前記ケーブル収納部に前記電力ケーブルを収納したときに、前記電力ケーブルが前記トンネル部の一部に片寄って配置されてしまっても、前記挿入口の中心と前記電力ケーブルの中心とがずれるので、前記電力ケーブルが抜けるのを抑制することができる。
【００２１】
このことは、前記電力ケーブルが前記ケーブル収納部より抜けて、前記プロペラと接触してしまい、前記電力ケーブルが切れたり、被覆がはげてしまったり、前記プロペラが破損してしまったり等の不具合が発生するのを抑制することができる。これにより、前記ファンモータを安全且つ安定して駆動させることが可能である。
【００２２】
上記構成において前記トンネル部を通風方向と直交する方向で切断した断面は長手方向が前記電力ケーブルの外径の２倍よりも大きく３倍よりも小さい長方形状であり、前記一対のリブの前記凹孔の周方向長さはいずれも前記電力ケーブルの外径よりも短く形成されているものであってもよい。
【００２３】
上記構成において、前記ケーブル収納部が１本の電力ケーブルが収納され前記一対のリブが形成された円柱状の第１収納室と、前記第１収納室の奥側に隣接して形成され１本の電力ケーブルが収納される円柱状の第２収納室とを有しており、前記第１収納室と前記第２収納室との間に形成された一対の仕切り部はその先端の間隙が前記電力ケーブルの外径よりも小さく前記ケーブルを押し込むことができる程度の大きさとなるように形成されており、前記第１収納室及び前記第２収納室に前記電力ケーブルを収納した状態では、前記第１収納室に収納された電力ケーブルと前記一対のリブが密接しているとともに、前記挿入口より一部が前記凹孔の内側に露出しているものであっても良い。
【００２４】
この構成によると、前記凹孔から前記ケーブル収納部に気流が進入しにくいので、それだけ、騒音の発生を抑制することができるとともに、前記電力ケーブルが気流によって外部に押し出される不具合が発生するのを抑制することが可能である。
【００２５】
上記構成において、前記本体部と前記ファンプレートとが樹脂の一体成型で形成されていてもよく、前記ケーブル保持部と前記ファンプレートとが樹脂の一体成型で形成されていてもよい。
【発明の効果】
【００２６】
本発明によると、簡単に製造することができるとともに、性能を低下させることなく、安全に駆動させることができるファンモータを提供することができる。
【００２７】
また本発明によると、ケーブルとプロペラとの接触による故障、停止や、気流による騒音等の不具合の発生を抑制するとともに、組立・分解を容易に行うことができるファンモータを提供することができる。
【発明を実施するための最良の形態】
【００２８】
以下に本発明の実施形態を図面を参照して説明する。図１は本発明にかかるファンモータの正面側から見た斜視図であり、図２は図１に示すファンモータの背面側から見た斜視図であり、図３は図１に示すファンモータの正面図である。図１、図２、図３に示すように、ファンモータＡには、プロペラ１と、モータ２と、とハウジング３とを有している。
【００２９】
プロペラ１はそれには限定されないがここでは合成樹脂の一体成型で形成されているものである。プロペラ１は円筒形状のハブ１１と、ハブ１１と一体で形成された複数枚のブレード１２（ここでは５枚）とを有している。ハブ１１には一方が開口した円筒形状の凹部１１１が形成されており、凹部１１１にはモータ２が挿入配置されている。プロペラ１が回転することで、ブレード１２が空気をせん断し、ハブ１１の軸方向に気流が発生する。
【００３０】
ブレード１２はハブ１１に一体的に連結された回転翼であり、ハブ１１周りに隣り合うブレード１２同士の中心角度が等しくなるように配置されている。モータ２はそれには限定されないが、ここでは、ＤＣブラシレスモータである。凹部１１１の内部に配置されたロータケース２１と、ロータケース２１に配置された１２個の磁極を有する磁石２２と、９個のコイル（図示省略）が巻かれたコアスロット２３１を備えたステータコア２３とを有している。モータ２のステータコア２３はハウジング３に固定されており、ステータコア２３にはコイルに電力を供給する電力ケーブル２４が接続されている。電力ケーブル２４は、２本のケーブル２４１を備えている。
【００３１】
ステータコア２３に取り付けられたコイルに所定のタイミングで電力を供給することでコアスロット２３１と磁石２２との磁束が変化して、ロータケース２１が回転する。これによりロータケース２１が取り付けられたハブ１１が回転し、プロペラ１がハウジング３に対して回転する。
【００３２】
図４はプロペラ及びモータを取り外した状態のファンモータを示す図である。図４に示すようにハウジング３は、それには限定されないが、樹脂の一体成型で製造される部材であり、本体部３１と、ファンプレート３２とを有している。
【００３３】
本体部３１には、中央に通風方向に形成された円柱形状の凹孔３１１が形成されている。凹孔３１１は内部にプロペラ１を格納することができる内径を有するものである。凹孔３１１の内壁部３１１１はそれには限定されないがここでは滑らかな円筒形状に形成されている。ファンプレート３２は中央に形成されたベース３２１と、ベース３２１より放射状に伸びる複数のスポーク３２２と、通気孔３２３とを有している。図４に示すようにベース３２１にはモータ２のステータコア２３が取り付け固定されるものである。
【００３４】
図４に示すように、スポーク３２２の凹孔３１１側には電力ケーブル２４が保持されるケーブル保持部２５が形成されている。また、凹孔３１１の内壁部３１０のケーブル保持部２５と近接する部分には、電力ケーブル２４が収納されるケーブル収納部３３が形成されている。
【００３５】
ケーブル保持部及びケーブル収納部について図面を参照して説明する。図５はケーブル保持部を拡大した断面図であり、図６はケーブル収納部を拡大した断面図である。図５に示すように、ケーブル保持部２５は、スポーク３２２に沿って平行に配置された弾性変形可能な一対の壁部２５１を備えている。壁部２５１はスポーク３２２と一体に形成されており、スポーク３２２と接続する部分より通風方向に向けて細くなる断面形状を有し、互いに対向して配置されている。
【００３６】
壁部２５１は先端に向かって互いに接近するように傾けてスポーク３２２に取り付けられている。壁部２５１の間隙２５２の大きさは、スポーク３２２との接続部近傍の大きさｈ１が電力ケーブル２４の外径Ｒよりも大きく、先端部の大きさｈ２が電力ケーブル２４のケーブル２４１の外径Ｒよりも小さくなっている。
【００３７】
ケーブル保持部２５にケーブル２４１を挿入するときに、ケーブル２４１を１本ずつ壁部２５１の間隙２５２に沿わせて配置し、上部よりケーブル２４１を押圧することで、壁部２４１又はケーブル２４１或いはその両方が弾性変形し壁部２５１の間隙２５２に押し込まれる。このように２本のケーブル２４１を挿入されることで、壁部２５１の間隙２５２から抜けるのを抑制した状態で保持される。なお、壁部２５１は、ケーブル２４１を押圧すれば変形し、ケーブル２４１を間隙２５２内部に装着することができるが、ファンモータＡの通常運転時にケーブル２４１に作用する力（例えば、モータ２の振動等による力）では、ケーブル２４１が抜けない強度を有するものが好ましい。これにより、ケーブル保持部２５に保持されたケーブル２４１は接着剤等の固定材を用いることなく、保持される。
【００３８】
図４、図６に示すように、ケーブル収納部３３は、凹孔３１１の内壁部３１０に、通風方向に伸びるトンネル部３３１と、トンネル部３３１の凹孔３１１側の一部を形成する一対のリブ３３２とを有している。図６に示すように、一対のリブ３３２はともに内壁部３１０の一部を形成するものである。一対のリブ３３２は互いに対向するように配置されており、先端部同士の間にはケーブル２４１が挿入される挿入口３３０が形成されている。
【００３９】
トンネル部３３１の長手方向（プロペラ１の回転方向）の長さは、ケーブル２４１の直径の２倍以上３倍未満になるように形成されている。また、挿入口３３０はケーブル２４１の外径と同じかやや小さめの幅を有し、通風方向に伸びる開口である。一対のリブ３３２のプロペラ１の回転方向の長さはともに、ケーブル２４１の外径よりも短くなるように形成されている。
【００４０】
挿入口３３０についてさらに説明すると、挿入口３３０は、ケーブル２４１が長手方向端部に寄って配置された場合、端部に近い側のケーブル２４１（ここでは、２４１ａ）が、リブ３３２（ここでは、ケーブル２４１ａに近い側のリブ３３２ａ）に隠れてしまわず、一部が挿入口３３０より見え、中央に近い側のケーブル２４１（ここでは、２４１ｂ）が、リブ３３２（ここでは、ケーブル２４１ａより遠い側のケーブル３３２ｂ）に一部が隠れて見えるように形成されている。
【００４１】
また、同様に、ケーブル２４１ｂ側に寄って配置されているときは、ケーブル２４１ｂはリブ３３２ｂに隠れてしまわず一部が見え、ケーブル２４１ａはリブ３３２ａによって一部が隠れて見えるようになっている。
【００４２】
このように、ケーブル２４１に強い力が付勢しないときは、偏って配置された場合であっても、中央側に配置されたケーブル２４１が一対のリブ３３２いずれかに制限されて、挿入口３３０より飛び出すのが抑制される。なお、プロペラ１が回転しているときは、凹孔３１１内を空気が流動するので、開口はなるべく小さいほうが好ましい。例えば、ケーブル２４１を挿入するときに、ケーブル２４１が変形しつつ確実に挿入できる程度の隙間を持つものが好ましい。
【００４３】
上記、ケーブル保持部２５は、スポーク３２２と一体で形成された部材であるが、別に形成されたケーブル保持部２５をスポーク３２２に固定したものであってもよい。
【００４４】
図７はケーブル収納部の他の例を拡大したときのファンモータの断面図である。図７に示すように、ケーブル収納部３４は、プロペラ１の半径方向に並んで配置された、奥側収納室３４１、手前側収納室３４２とを備えている。奥側収納室３４１と手前側収納室３４２との間には、プロペラ１の回転方向に対向して伸びる一対の仕切り部３４３が形成されている。さらに、手前側収納室３４２の凹孔１１側の部分には、プロペラ１の回転方向に互いに対向して配置されたリブ３４４が形成されている。
【００４５】
一対の仕切り部３４３は先端を接近させて形成されている。一対の仕切り部３４３はそれぞれ２つの凹曲面を頂点が形成されるように並べた形状を有するものであり、互いに、奥側収納室３４１及び手前側収納室３４２の内壁面の一部を形成している。一対の仕切り部３４３の先端同士をつなぐ長さは、ケーブル２４１を押しつけたときに、ケーブル２４１或いは仕切り部３４３が変形しつつ押し込まれる程度のものが好ましい。
【００４６】
また、一対のリブ３４４も同様に、先端が接近されて形成されており、先端部同士を結んだ長さはケーブル２４１の外径よりも小さい挿入口３４５が形成されている。このように、挿入口３４５がケーブル２４１の外径よりも小さく形成されていることで、ケーブル２４１に挿入時と同等以上の力が付勢しない限り、ケーブル２４１がケーブル収納部３４から出ることはない。なお、挿入口３４５は、ケーブル２４１を押し付けることで、ケーブル２４１或いはリブ３４４が変形しつつ、手前側収納室３４２に押し込むことができる程度に狭いものが好ましい。
【００４７】
図７に示すように、奥側収納室３４１にケーブル２４１（ここでは、ケーブル２４１ｃと示す）が、手前側収納室３４２にケーブル２４１（ここでは、ケーブル２４１ｄと示す）がそれぞれ収納されている。ケーブル収納部３４に収納されている状態では、ケーブル２４１ｃの奥側の部分は奥側収納室３４１の奥側の内壁部と当接しており、手前側の部分はケーブル２４１ｄの奥側部分と接触している。また、ケーブル２４１ｄの手前側部分は一対のリブ３４４の両方と接触し、一部が凹孔１１側に突出している。挿入口３４５がケーブル２４１ｄに塞がれて形成されている。
【００４８】
このように、挿入口３４５がケーブル２４１ｄに塞がれており、プロペラ１の回転により発生する気流が、ケーブル収納部３４に流れ込まないので、ケーブル２４１（２４１ｃ、２４１ｄ）が気流にあおられて、挿入口３４５より抜けてしまったり、騒音が発生するのを抑制することが可能である。
【００４９】
以上、発明の実施形態を具体的に説明したが、本発明は上記実施形態に限定するものではなく、その要旨を逸脱しない範囲で種々変更可能である。
【産業上の利用可能性】
【００５０】
本発明のファンモータは、電子機器の内部にたまった高温の空気を外部に放出するとともに、外部の低温の空気を前記電子機器の内部に導入し、前記電子機器の内部に配置された電子部品等の構成部品の冷却を行う冷却ファン装置において適用することができる。
【図面の簡単な説明】
【００５１】
【図１】本発明にかかるファンモータの斜視図である。
【図２】図１に示すファンモータを、図１における矢線Ｘ方向（通風方向）から見た平面図である。
【図３】プロペラの詳細を示す図である。
【図４】従来の光ディスク駆動機構の縦断面図である。
【図５】ケーブル保持部を拡大した断面図である。
【図６】ケーブル収納部を拡大した断面図である。
【図７】ケーブル収納部の他の例を拡大したときのファンモータの断面図である。
【符号の説明】
【００５２】
１  プロペラ
１１  ハブ
１２  ブレード
２  モータ
２１  ボス
２２  磁石
２３  コイル
２４  電力ケーブル
２５  ケーブル保持部
２５１  壁部
２５２  間隙
３  ハウジング
３１  本体部
３１１  凹孔
３２  ファンプレート
３２１  ベース
３２２  スポーク
３２３  通気孔
３３  ケーブル収納部
３３０  挿入口
３３１  トンネル部
３３２  リブ
３４  ケーブル収納部
３４１  奥側収納室
３４２  手前側収納室
３４３  仕切り部
３４４  リブ
３４５  挿入口
【図１】
2008309017.tif 000003
【図２】
2008309017.tif 000004
【図３】
2008309017.tif 000005
【図４】
2008309017.tif 000006
【図５】
2008309017.tif 000007
【図６】
2008309017.tif 000008
【図７】
2008309017.tif 000009